(57)【要約】クリップを保持するためのカートリッジ（１０）は、基部と、基部（１２）から延在し且つクリップを受容するための空間を画定する壁面、隣接する壁部の対向する壁面を有する複数の壁部（１４）とを有してなり、壁面の少なくとも１つの壁部が上記空間内においてクリップに接するために配設された粗面（３４，３８）を有し、これによりクリップが上記空間内で摩擦的に保持される。
2004502513.tif 000002
【特許請求の範囲】
【請求項１】
クリップを保持するためのカートリッジであって、
基部を有してなり、
前記基部より延在し且つ壁面を有する複数の壁部を有してなり、隣接する壁部の対向する壁面がクリップを収容するための空間を画定しており、
前記壁面の少なくとも１つの壁部が前記空間内においてクリップに接するために配設された粗面を有してなり、これにより前記クリップが前記空間内で摩擦的に保持される、ことを特徴とするカートリッジ。
【請求項２】
前記粗面が約１８から約１３μｍの間の粗さを有する、ことを特徴とする請求項１記載のカートリッジ。
【請求項３】
前記粗面が約２１から約３３μｍの間の粗さを有する、ことを特徴とする請求項１記載のカートリッジ。
【請求項４】
前記クリップが連結部から延在する２つの脚部を有し、また前記粗面が前記連結部に接するように配設される、ことを特徴とする請求項１記載のカートリッジ。
【請求項５】
前記脚部が前記連結部から前記基部へ延在した状態で、前記クリップが前記空間内に配設される、ことを特徴とする請求項４記載のカートリッジ。
【請求項６】
前記空間を画定する少なくとも１つの前記壁面が、前記連結部材を前記粗面に接させた状態で前記空間内でクリップを支持するための支持部材を有している、ことを特徴とする請求項５記載のカートリッジ。
【請求項７】
前記支持部材が、前記クリップと離間した点接触をするための離間した２つの部材を有してなる、ことを特徴とする請求項６記載のカートリッジ。
【請求項８】
前記壁部が複数の剛性の壁部と複数の可撓性の壁部とを有してなり、各空間が剛性の壁部と可撓性の壁部との間に画定されており、前記可撓性の壁部が対応する剛性の壁部からの前記クリップの幅よりも小さい間隔に向かってバイアスされており、これにより横からの保持力が前記クリップに加えられる、ことを特徴とする請求項１記載のカートリッジ。
【請求項９】
前記横からの保持力が前記粗面により前記クリップに加えられる、ことを特徴とする請求項８記載のカートリッジ。
【請求項１０】
前記可撓性の壁部の各側部上に配設された２つの顎部案内部材をさらに有してなり、前記顎部案内部材は、前記空間からクリップを取外すために顎部の挿入を案内するための顎部収容溝を画定するために、前記剛性の壁部から離間されている、ことを特徴とする請求項８記載のカートリッジ。
【請求項１１】
前記顎部案内部材のそれぞれが、前記剛性の壁部に実質的に平行であり且つ前記可撓性の壁部から横方向に離間した、前記基部から延在する壁セグメントを有してなる、ことを特徴とする請求項１０記載のカートリッジ。
【請求項１２】
前記各剛性の壁部が対向する各壁面を有し、および２つの離間した可撓性の壁部が各対の剛性の壁部の間に配設されており、これにより前記２つの離間した可撓性の壁部の一方と前記対向した各壁面の一方の対向した壁面が前記クリップ用の前記空間を画定する、ことを特徴とする請求項８記載のカートリッジ。
【請求項１３】
前記２つの可撓性の壁部のそれぞれの各側部上に配設された２つの顎部案内部材をさらに有してなり、前記顎部案内部材が、クリップを前記空間から取外すために顎部の挿入を案内するための顎部収容溝を画定するために、対向する壁面から離間されている、ことを特徴とする請求項１２記載のカートリッジ。
【請求項１４】
前記顎部案内部材が、互いに第１の距離だけ離間し且つ前記顎部収容溝を画定するために対向する壁面にそれぞれ対面した、対向する顎部案内面を有しており、また、前記２つの離間した可撓性の壁面が、互いに第２の距離だけ離間し且つ対向する壁面にそれぞれ対面した、対向する可撓性の壁面を有しており、さらに前記第２の距離が前記第１の距離より大である、ことを特徴とする請求項１３記載のカートリッジ。
【請求項１５】
前記少なくとも１つの壁部が、前記粗面を有する第１の部分と、前記粗面よりも小さな粗さを有する第２の部分とを有する、ことを特徴とする請求項１記載のカートリッジ。
【請求項１６】
前記基部が所定の長さを有する実質的に細長い部材であり、且つ前記各壁部が前記長さに対して実質的に横向き配設されている、ことを特徴とする請求項１記載のカートリッジ。
【請求項１７】
前記クリップの取外しを許容するために前記各壁部が前記基部から開放端へ延在しており、前記各壁部が実質的に真っ直ぐで平行であり且つ前記粗面部分を含むクリップ接触部を有しており、また、前記各壁部が前記クリップ接触部から前記開放端へ、互いに真っ直ぐかテーパ状に離れるかの一方である特定の方向に延在し、これにより前記クリップが前記各壁部からの干渉（妨げ）なしに前記空間から取外される、ことを特徴とする請求項１記載のカートリッジ。
【請求項１８】
前記基部と壁部が前記空間から取外される前記クリップの動きの方向を規定し、および前記粗面が、無方向性粗さと、前記動きの方向から少なくとも４５°オフセットした、低減された摩擦方向を有する方向性のある粗さとからなるグループから選択された粗さを有する、ことを特徴とする請求項１記載のカートリッジ。
【請求項１９】
基部と、前記基部から延在し且つ壁面を有する複数の壁部を有し、隣接する壁部の対向する壁面がクリップを収容するための空間を画定し、前記壁面の少なくとも１つの壁部が前記空間内のクリップと接触するために配置された粗面を有し、これにより前記クリップが前記空間内に摩擦的に保持されるクリップ用カートリッジを有してなり、および
前記カートリッジからクリップを取外すと共に使用環境に前記クリップを装着するための顎部を有する装着用具を有してなり、
前記顎部と前記クリップとの間に第１の保持力が規定されるとともに、前記クリップと前記粗面との間に第２の保持力が規定され、前記第１の保持力が前記第２の保持力よりも大である、ことを特徴とするクリップ装着システム。
【発明の詳細な説明】
【０００１】
（発明の背景）
本発明はクリップを保持するためのカートリッジ、特に外科手術において使用する止血用クリップを保持するためのカートリッジに関するものである。
【０００２】
止血用クリップを保持するためのカートリッジについては非常に多くの開示がなされている。例えば、米国特許番号第４，０７６，１２０号、第４，９６１，４９９号、第５，２０１，４１６号、第５，９０８，４３０号などである。この業界の長年にわたる問題点は、船積などの際の損失に対し十分しっかりとクリップを保持するための構造を備えており、尚かつ過大ないし過度の力などを必要とせずにクリップを確実に取外すことができるカートリッジである。典型的には、この種のクリップは外科手術の際に外科医により使用のために取外される。この作業は片手で行わなければならないのが常である。
【０００３】
多くの先行技術では、クリップの取外通路内へ延在したクリップの取外しを妨げる、延在する突起物などを使用する取り組みがなされている。この手法はクリップを定位置に保持する効果を生じるが、クリップの取外しを非常に困難にしてしまう。上述およびその他の特許において示された試みにもかかわらず、信頼性高く且つ容易に取外を行うことができる、クリップ保持用のカートリッジが必要とされていることは明らかである。
【０００４】
よって、本発明の主要な目的は、取外しが可能な態様でクリップを確実に保持するカートリッジを提供することにある。
本発明の他の目的および利点は以下の説明から明らかである。
【０００５】
（発明の概要）
本発明によれば、上記の目的および利点が容易に達成される。
【０００６】
本発明によれば、クリップを保持するためのカートリッジであって、基部を有してなり、前記基部より延在し且つ壁面を有する複数の壁部を有してなり、隣接する壁部の対向する壁面がクリップを収容ないし受容するための空間つまりスペースを画定しており、前記壁面の少なくとも１つの壁部が空間内のクリップに接するために配設された粗面を有してなり、これにより前記クリップがスペース内において摩擦的に保持される、カートリッジが提供される。
【０００７】
さらに本発明によれば、基部と、前記基部から延在し且つ壁面を有する複数の壁部を有し、隣接する壁部の対向する壁面がクリップを収容ないし受容するための空間つまりスペースを画定し、前記壁面の少なくとも１つの壁部が前記空間内のクリップと接触するために配置された粗面を有し、これにより前記クリップが前記空間内に摩擦的に保持されるクリップ用カートリッジを有してなり、および前記カートリッジからクリップを取外すと共に使用環境に前記クリップを装着するための顎部を有する装着用具つまりアプライヤ（ａｐｐｌｉｅｒ）を有してなり、前記顎部と前記クリップとの間に第１の保持力が規定されるとともに、前記クリップと前記粗面との間に第２の保持力が規定され、前記第１の保持力が前記第２の保持力よりも大きい、クリップ装着システムが提供される。
【０００８】
（実施形態）
本発明はクリップ、特に外科手術などで使用する止血用クリップを保持するためのカートリッジに関するものである。図面を参照して、図１から３は本発明に係わるカートリッジ１０を全体的に例示したものである。
【０００９】
カートリッジ１０は、好ましくは、基部（ベース）１２と、基部１２から延在すると共にクリップ１８を保持するための空間を画定する複数の壁部１４を含んでいる。
【００１０】
以下に詳細に説明するように、本発明に係わるカートリッジは、クリップの取外しを困難にしがちなクリップの通路内に延在する突起部材を使用することなく、船積の際や使用のための配設ないし位置決めの際にクリップ１８を確実つまりしっかりと所定位置に保持できるために好適である。より詳しくは、１つないし複数の粗面によってクリップ１８に加えられた横からの締め付け力（圧縮力）によりは、配設されたクリップ１８が摩擦的に保持される一方で所要の際には取外しが許容されることが知得された。従って、本発明のカートリッジは、クリップを確実に保持する一方で、外科医によって必要とされる際にはクリップの簡便な取外しを許容する。
【００１１】
基部１２は、好ましくは、両端部２０と両側部（側面）２２を有した、実質的に細長の構造である。壁部１４は、好ましくは、基部１２の長さに対して（つまり長さ方向に）横向きつまり垂直に配設されており、これにより、図１から３に例示したように実質的に平行に且つ隣り合った配置で空間１６が画定される。図示したように、基部１２の両側部２２は基部１２の長さ寸法であり、この長さに対応する基部１２の縦軸２４もまた図示されている。好ましくは、各壁部１２およびこれらの間に画定される空間１６は、縦軸２４に対して実質的に垂直ないし横向きである。
【００１２】
壁部１４は、好ましくは、一連の交互に配された（つまり互い違いに設けられた）、実質的に剛性の壁部２６と実質的に可撓性の壁部２８を含んでいる。各空間１６は、好ましくは、１つの剛性の壁部２６と１つの可撓性の壁部２８との間に画定される、また、可撓性の壁部２８は、好ましくは、対向する剛性の壁部２６に僅かに向かうバイアスつまり偏りを有するように形成され、加工され、あるいは他の方法で設けられ、これにより、空間１６内に配設されるクリップ１８に横から可撓性の壁部２８が保持力が加えられる。よって、可撓性の壁部２８は、空間１８内のクリップの幅よりも小さな、対向する壁部２６からの間隔に向かうバイアスを有する。図２に最も良く例示したように、壁１４は、好適には、２つの可撓性の壁部２８が剛性のある壁部２６の各対の間に位置するように配設され、これにより隣接する可撓性のある壁部２６の間に空間３０が画定されて、カートリッジ１０に各クリップを装填ないし挿入する際において可撓性の壁部が剛性の壁部２６から離れるように屈曲することが可能となる。なお、当然のことであるが、本発明の範囲内においてその他の壁部の配置も容易に使用できる。
【００１３】
図４を参照して、可撓性の壁部２８およびそのクリップ接触面３２を例示するためにカートリッジ１０を通る断面図が提供されている。図示した壁部２８は、好ましくは、基部１２から空間１６の開放端つまり末端４０に向かって上方に延在する滑らかな壁部である。必要な場合、開放端４０において空間１６を広げるために、壁部２８の上方端部２９を対向する壁部２６からテーパ状つまり先細りにすることができる。これにより、製品装填あるいは組立ての際にクリップの挿入が容易となり、またクリップを取外すための装着用具つまりアプライヤの挿入が容易となる。
【００１４】
本発明によれば、面３２には、空間１６内においてクリップ１８と接触するために配設された粗面化された（凹凸が付けられた）部分つまり粗面３４が設けられており、これにより、所望の通りに空間１６内にクリップ１８を確実に保持できる。この粗面は、クリップ１８上に十分な横からのあるいは摩擦的な保持を提供する一方で、必要な場合には困難を伴うことなくクリップ１８が取外されるのを許容するために、本発明に従って好適に選択される。以下に説明するように、必要な際のクリップ１８の取外しを妨げることなくクリップ１８上に優れた保持力を提供するために、粗面３４の特定の範囲の粗さないしざらつき度が本発明において有用であることが知得されている。
【００１５】
図５は剛性の壁部２６を例示した断面図である。図示したように、剛性の壁部２６には、好ましくは、本発明において必要とされるように、空間１６内においてクリップ１８に接するように配設された隆起部３８を有する、実質的に平らな表面３６が設けられている。隆起部３８は、好ましくは、基部１２から上方に延在し、且つ基部１２から離れてカートリッジ１０の開放端ないし末端へ向かう垂直に壁が付けられた部分である。隆起部分３８にはまた、必要に応じて、粗面４２が設けられる。開放端４０において空間１６を広げるために、隆起部３８はまた、対応する可撓性の壁部２８からテーパ状つまり先細りになった上方端部３９を有してもよい。よって、壁部２６、２８は、クリップ接触部から開放端４０へと延在する延在部を有する。表面３４、４２に対応する各クリップ接触部は、クリップがこれらの間に配設された際に実質的に真っ直ぐで且つ平行であり、また各延在部が端部２９、３９と同様にお互いから真っ直ぐまたは先細りのいずれかである方向において開放端４０に延在することが好ましい。これにより、クリップは、横方向に加えられた摩擦だけで、またいずれかの壁部上の突起構造物から妨げられることなく、空間から取外すことができる。
【００１６】
図５に示されるように、好ましくは、剛性の壁部２６には空間１６内においてクリップ１８を支持するための支持部材４４が、必要に応じて設けられる。支持部材４４は、好ましくは、クリップ１８の内面と間隔を空けて点接触するための、隆起部３８から延在する離間した構造物である。図５に示す実施形態において、支持部材は実質的に垂直に配置された隆起物であり、必要に応じて、クリップ１８と接するため支持面４６内の上方端で終端している。図６は支持部材４４を例示した同様な図であり、本図においては同じ構造はさらに例示するために切断されている。図示したように、部材４４はクリップ１８の内面の２点に接触しており、これにより、必要に応じて、空間１６内においてクリップ１８の安定な、離間した点での支持を提供できて有用である。
【００１７】
上記したように、粗面３４、４２は、必要な場合における取外しを妨げることなくクリップ１８を所定位置において保持するために有利であると知得された特定範囲の粗さを有して、好ましくは設けられている。このような表面の粗さは、例えば、Ｃｈａｒｍｉｌｌｅｓ Ｔｅｃｈｎｏｌｏｇｉｅｓ社によって提供される粗さ計を使用して好適に測定される。また、本発明によれば粗面３４、４２は好ましくは約１８μｍから約３３μｍまでの間の粗さ（Ｒａ）を有している。より好ましくは、この荒さは約２１μｍと３３μｍの間である。
【００１８】
所望の粗さは多くの様々な技術により提供できる。例えば、カートリッジ１０は好ましくは射出形成され、カートリッジ１０が製造される金型を所望の粗面を提供するように加工したも良いし、あるいは得られた部品を次いで該当面を粗面にするよう加工しても良い。当然であるが、追加の工程が不要となるので、金型を介して粗面を設けることが好ましい。
【００１９】
粗面を提供するため、金型の該当部分を粗面とするように金型の対応面が加工され、これにより、得られた成型品の所望の部分が粗面となる。関連する金型面は、この面を粗面にするために電気侵食（ｅｌｅｃｔｒｏｅｒｏｓｉｏｎ）により加工してもよいし、あるいは所望の粗さとなるように研磨されてもよい。本発明によれば、金型型を電気侵食を使用して粗面とすることが好ましい。これは、この種の粗面化プロセスが”方向性のある粗さ”という結果を招かないためである。ここで使用された方向性のある粗さとは、１つの方向における滑り運動に対する抵抗が他の方向よりも大きい、面の粗さを指すものである。この種の方向性のある粗さは、研磨工程により生じることが多い。それでも、ハウジングからのクリップの取外し方向に対応しない方向における滑りに対して小さい抵抗を有するような方向性のある粗さを設けるために研磨されるのであれば、本発明において研磨工程は所望の金型面を粗面とするために使用される。
【００２０】
図６には、クリップ１８を取外すためにハウジング内に配設された装着用装置の顎部が示されている。このカートリッジ１０の構造においては、矢印Ａにより例示された略上方向に、クリップを取外すための方向が規定される。よって、本発明のカートリッジ１０を作るための金型が研磨され、つまり方向性のある粗さを面３４、４２上に設けられる場合には、矢印Ａに対して少なくとも約４５°の角度だけ配向した動きに対し粗さの方向性あるいは低減された抵抗を提供するように金型が研磨されることが好ましい。よって、本発明によれば、粗面３４、４２には、好ましくは、無方向性の粗さ、あるいは動きに対して低減された抵抗の方向がカートリッジ１０により規定される取外し方向に対して少なくとも４５°だけオフセットつまり片寄っている方向性のある粗さの、どちらか一方が設けられる。
【００２１】
図３、４に最もよく例示されたように、顎部案内部材４８もカートリッジに設けることが好ましく、これは最も好ましくは実質的に図示されているように可撓性の壁部２８のいずれか一方の側部に横方向に離間されている。顎部案内部材４８は好ましくは剛性の壁部２６から離間された実質的に剛性の部材であり、これにより、空間１６内のクリップ１８のいずれか一方の側部に対してサイドスペース５２が提供され、図６に例示されたように必要に応じてクリップ１８を取外すために使用される装着用具の顎部５０を所定位置に正しく案内する。
【００２２】
図４に最もよく示されたように、各顎部案内部材４８はそれらの外縁部５４が丸みを帯びており、また可撓性の壁部２８の側方端部に実質的に平行である内側端部５６を有している。図１および図７に最もよく示されたように、顎部案内部材４８は、空間１６内に配設されたクリップ１８の幅より広い幅６０（図７）を備えた顎部案内空間５２を画定する。また図１に示されたように、顎部案内部材４８は、好ましくは、剛性の壁部２６の各対の間に配設されると共に、それぞれ別の剛性の壁部２６と対面した、対向する顎部案内面６２を有している。
【００２３】
本発明の好ましい実施形態において、可撓性の壁部２８はそれぞれクリップと対面する面６４を有する隣接対の中に配設されており、またクリップと対面する各面６４の間の間隔６５（図７）が各顎部案内面６２の間の間隔６３よりも大であることが好ましい。
【００２４】
本発明によれば、クリップを装着するためのシステムもまた提供される。このシステムは、上記で説明および例示したカートリッジ１０と、例えば図６に例示された顎部５０を有する装着用具（アプライヤ）を含んでいる。クリップ１８を把持する際に、カートリッジのクリップ保持力よりも相対的に大きな保持力を有するクリップ接触部を有した顎部５０を設けることが特に有用であることが知得されている。保持力は言うまでもないが３つのパラメータ、つまり各面の間の摩擦係数、表面積、および進行方向に対する直角平面方向の力（ｔｒａｎｓｖｅｒｓｅ ｆｏｒｃｅ）の関数である。よって、クリップ１８と粗面３４、４２との間よりも顎部５０とクリップ１８との間の摩擦係数がより大きいことが望ましく、これにより、クリップ１８は所望のようにカートリッジ１０内に確実に保持され、また尚かつ必要に応じて顎部５０を使用して容易に取外しができる。
【００２５】
加えて装着用具の顎部の粗さの種類ないし形式が重要であることが知得されている。
【００２６】
カートリッジ１０のための金型に関しては、無方向性の粗さを得るために電気侵食を使用して顎部５０のクリップ把持部分を粗面化するか、あるいはこの把持部分を許容される方向において方向性がある粗さを設けるために研磨するかのいずれかが好ましい。典型的に、顎部５０にはクリップを保持するため溝部が設けられており、またこの溝部における粗さが最も有用であるが、溝の長さに沿っていない方向において研磨を行うことは困難である。よって、電気侵食を用いて顎部に所望の粗さを設けることが最善である。
【００２７】
本発明によればさらに、基部１２には、好ましくは、露出式の粘着材ないし接着剤（ｅｘｐｏｓａｂｌｅ ａｄｈｅｓｉｖｅ）のシート状物（薄板）あるいは被膜が設けられた平らな底部６６を有し、これによりカートリッジ１０は、例えば、外科医用カートなどの使用したい場所上の所定位置に固定できる。このような粘着材用の特定の粘着材や被膜の形式は当業者間で公知の材料である。これはカートリッジ１０を使用する際には外科医が片手でクリップ１８を頻繁に取外せなければならないので、特に有用である。底部６６は好適には基部１２の上に配置され、これにより平らな作業面の上にカートリッジ１０が支持され、壁部１４が平らな作業面から上方に離れて延在する。
【００２８】
あるいは、内側にカートリッジ１０が固定して配置できる上方に開口した鳩尾型の溝を有する重みのある構造体である、重量のある土台内にカートリッジ１０を使用の際に取付けることもできる。さらに、本発明の範囲内において、外科医がクリップを取外すために使用される、カートリッジ１０を所定位置に安定して保持するために使用されるその他の構造も容易に利用可能である。
【００２９】
カートリッジ１０は、好ましくは単一の成形品として提供され、またポリカーボネートやポリアミド、あるいは機械的弾性性能およびガンマ線や酸化エチレン、温度などの滅菌工程の後の経時安定性に関してカートリッジ１０用として優れた材料であると知得されたその他の同様な材料で、製造される。剛性の壁部および可撓性の壁部は、同様の構造形成により、所望の剛性や可撓性が付与される。すなわち、剛性の壁部は、好ましくは、所望の安定性と剛性を与えると共にそれぞれが空間の１つの剛性の壁部を画定する対向する面を画定する、２重壁の閉鎖構造であり、
【００３０】
可撓性の壁部は、好ましくは、所望のように壁部が隣接する剛性の壁部から離れるように回転するのを許容するヒンジとして機能する部分において基部に接続された、単一の壁構造として提供される。これにより、カートリッジの組立てや装填の際にクリップの挿入が許容される。さらに、可撓性の壁部の基部においてヒンジを規定することが、ヒンジと力が加えられる点との間の壁部の長さを最長にすることにより、クリップ１８の上に安定した一定の力を規定する機能を果たす。
【００３１】
本願は共に所有されているＰＣＴ出願第ＰＣＴ／ＦＲ９７／０１４１０号に関連するもので、この出願は参照として本明細書に完全に組み込まれる。
【００３２】
本発明によるカートリッジは、好適には、理想的には１つまたはそれより多くの粗面の間において、カートリッジの出口空間内にいずれかの干渉する（妨害する）構造体を配置することなく、横方向に加えられる圧力によりクリップを保持するために設けられ、これにより、クリップと各粗面との間の相対的な粗さによる摩擦力に単に打ち勝つ（つまりこの摩擦力を超える）ことでクリップを容易に取り外すことができる。
【００３３】
剛性の壁部および可撓性の壁部２６、２８のそれぞれを粗面を有するものとして説明したが、本発明の範囲内において、これら壁部の一方あるいは他方だけに粗面を設けてもよいことは容易に理解されることである。
【００３４】
本発明は上記説明および図示した各例示に限定されるものではなく、これらは本発明を実施するための最良の形態を単に例示したものであり、形状、寸法、部品の配置および動作の詳細において変更が可能である。よって、本発明は特許請求の範囲によって規定された技術思想および範囲内であるこれら全ての変更を包含することを意図している。
【図面の簡単な説明】
【図１】
本発明に係わるカートリッジの側面図である。
【図２】
図１のカートリッジの一部分の側部断面図である。
【図３】
図１のカートリッジを例示した斜視図である。
【図４】
本発明に係わるカートリッジの可撓性の壁部を例示した横断面図である。
【図５】
本発明に係わるカートリッジの剛性の壁部を例示した横断面図である。
【図６】
本発明に係わるカートリッジからクリップを取外す際に使用される装着用具の顎部の位置を例示した説明図である。
【図７】
本発明に係わるカートリッジの部分を例示した説明図であり、壁構造の他の細部が示されている。
【国際公開パンフレット】
2004502513.tif 000003
2004502513.tif 000004
2004502513.tif 000005
2004502513.tif 000006
2004502513.tif 000007
2004502513.tif 000008
2004502513.tif 000009
2004502513.tif 000010
2004502513.tif 000011
2004502513.tif 000012
2004502513.tif 000013
2004502513.tif 000014
2004502513.tif 000015
2004502513.tif 000016
2004502513.tif 000017
2004502513.tif 000018
2004502513.tif 000019
2004502513.tif 000020
【国際調査報告】
2004502513.tif 000021